(57)【要約】【課題】容器の強度を弱くすることなく容器の開状態を保つことができ、内側の個別折込み片部の上端を側面部の上端近くに形成することにより食品、特に、液体がこぼれるおそれが小さく、さらに、個別折込み片部の貼りずれを防止することができ、また、内側の個別折込み片部の上端を側面部の上端近くに形成しても、内側の個別折込み片部が外側の個別折込み片部の上端から突出するおそれがない紙製容器を提供する。【解決手段】紙製容器５は、方形状の底面部と、底面部の各辺から立設した側面部１２、１８等と、側面部の隣り合う側縁部間に連設された折込み片部２０、３０等と、折込み片部から連設された接続片部２６、３６等と、蓋フラップ６０、６２、６４、６６とを有し、接続片部は、蓋フラップに接着されている。折込み片部を構成する内側の個別折込み片部２４、３４等は、側面部に接着されている。【選択図】図２
0003131823.tif 000002
【実用新案登録請求の範囲】
【請求項１】
紙製容器であって、
該紙製容器が１枚のブランクにより形成され、
底面部と、
該底面部の各辺から折れ線を介して立ち上がる複数の側面部と、
側面部の上端から折れ線を介して連設された蓋フラップと、
側面部の隣り合う側縁部間に連設された折込み片部で、底面部の角部から伸びる折れ線を介して一対の個別折込み片部に区画された折込み片部と、
折込み片部を構成する一対の個別折込み片部の一方の個別折込み片部の上端から折れ線を介して連設された接続片部と、
を有し、
折込み片部を折れ線を介して折曲して個別折込み片部同士を重ねた状態とし、一対の個別折込み片部において接続片部が連設された個別折込み片部が他の個別折込み片部よりも外側となり、個別折込み片部と接続片部間の折れ線が、接続片部が接着された蓋フラップと側面部間の折れ線に沿うように、接続片部を蓋フラップの外側の面に接着させることにより、折込み片部を側面部の外側の面に沿って設けたことを特徴とする紙製容器。
【請求項２】
紙製容器であって、
該紙製容器が１枚のブランクにより形成され、
方形状の底面部と、
該底面部の各辺から折れ線を介して立ち上がる複数の台形状の側面部と、
相対する側面部の上端から折れ線を介して連設された第１蓋フラップと、
上記相対する側面部とは異なる他の相対する側面部の上端から折れ線を介して連設された第２蓋フラップで、互いに係止することにより係着可能な第２蓋フラップと、
側面部の隣り合う側縁部間に連設された折込み片部で、底面部の角部から伸びる折れ線を介して一対の個別折込み片部に区画された折込み片部と、
折込み片部を構成する一対の個別折込み片部の一方の個別折込み片部の上端から折れ線を介して連設された接続片部と、
を有し、
折込み片部を折れ線を介して折曲して個別折込み片部同士を重ねた状態とし、一対の個別折込み片部において接続片部が連設された個別折込み片部が他の個別折込み片部よりも外側となり、個別折込み片部と接続片部間の折れ線が、接続片部が接着された第１蓋フラップと側面部間の折れ線に沿うように、接続片部を第１蓋フラップの外側の面に接着させることにより、折込み片部を側面部の外側の面に沿って設けたことを特徴とする紙製容器。
【請求項３】
一対の個別折込み片部において内側となる上記他の個別折込み片部が、側面部に接着されていることを特徴とする請求項１又は２に記載の紙製容器。
【請求項４】
一対の個別折込み片部において内側となる上記他の個別折込み片部の上端が、個別折込み片部が連設されている側面部の上端近くに形成されていることを特徴とする請求項１又は２又は３に記載の紙製容器。
【考案の詳細な説明】
【技術分野】
【０００１】
本考案は、紙製容器に関するものであり、特に、食品を入れるのに適した紙製容器に関するものである。
【背景技術】
【０００２】
従来より、紙製容器において、主として食品の収納に使用するものとして、図６、図７に示す紙製容器１０５が存在する。
【０００３】
この紙製容器１０５は、底面部１１０と、側面部１１２と、側面部１１４と、側面部１１６と、側面部１１８と、折込み片部１２０と、折込み片部１３０と、折込み片部１４０と、折込み片部１５０と、蓋フラップ１６０と、蓋フラップ１６２と、蓋フラップ１６４と、蓋フラップ１６６とを有している。また、折込み片部１２０は、個別折込み片部１２２と、個別折込み片部１２４とを有し、折込み片部１３０は、個別折込み片部１３２と、個別折込み片部１３４とを有し、折込み片部１４０は、個別折込み片部１４２と、個別折込み片部１４４とを有し、折込み片部１５０は、個別折込み片部１５２と、個別折込み片部１５４とを有している。なお、図７において、一点鎖線は、山折り線を示し、二点鎖線は、谷折り線を示し、実線は、外形線又は切込みを示している。
【０００４】
この紙製容器１０５においては、各折込み片部を折れ線に沿って折り曲げて側面部に固定させることにより組み立てられている。例えば、折込み片部１２０においては、個別折込み片部１２２と個別折込み片部１２４間の折れ線を介して折込み片部１２０を折り曲げ、個別折込み片部１２２の上端領域を側面部１６０に接着させることにより固定している。
【０００５】
また、特許文献１には、厚紙等により形成されたコップの保形を確実にするために、斜状折目線（３１’）や垂直折目線（３２’）を設けた点が開示されている。
【０００６】
また、食品容器に用いる紙製包装容器として、出願人は、特許文献２に示す出願を知得している。
【特許文献１】実開昭５２−１３６８１９号公報
【特許文献２】特開２００４−１２３２３０号公報
【考案の開示】
【考案が解決しようとする課題】
【０００７】
しかし、特許文献１のように折目線を入れると、容器の強度が弱くなるという問題があった。つまり、図６、図７に示す紙製容器１０５に特許文献１に示すような折目線を設けた場合には、容器の強度が弱くなってしまう。特に、図６、図７に示す構造の紙製容器１０５においては、内側の個別折込み片部１２４、１３４が側面部１１２を内側に押すとともに、内側の個別折込み片部１４４、１５４が側面部１１６を内側に押そうとすることから、特に、側面部１１２と側面部１１６とを開状態に保つのが困難である。
【０００８】
また、上記図６、図７に示す構成では、折込み片部における外側の個別折込み片部の上端領域に側面部と接着する領域を確保するために、内側の個別折込み片部の上端と側面部の上端との幅が大きくなり、容器を傾けた場合に、食品、特に、液体がこぼれるおそれがあった。すなわち、図６の例で、例えば、角部Ｔ側を手前に傾斜させていくと、傾斜角度が大きくなると、内側の個別折込み片部１３４の上端と側面部１１２の上端との幅Ｈが大きく形成されているので、液体が内側の個別折込み片部１３４の上端を超えてしまい、特に、内側の個別折込み片部１３４と側面部１１２とが接着されていないと、個別折込み片部１３４の上端を超えた液体が、側面部１１２と個別折込み片部１３４との隙間から外部に漏れてしまうおそれがある。
【０００９】
また、折込み片部の貼りずれが発生した場合、特に、折込み片部の側面部への接着位置が上下方向にずれた場合に外側の個別折込み片部が側面部の上端から突出しないように、外側の個別折込み片部の上端が傾斜して形成されているが、これにより、外側の個別折込み片部の上端の接着領域を確保するために、内側の個別折込み片部の上端と側面部の上端との幅が大きくなってしまい、一方、内側の個別折込み片部の上端位置を高くしてしまうと、外側の個別折込み片部の接着領域が確保できず、接着領域が狭いと外側の個別折込み片部と側面部との接着が外れてしまうおそれがあり、外側の個別折込み片部と側面部との接着が外れると、容器の開状態を保てなくなる。また、内側の個別折込み片部の上端位置を高くしてしまうと、貼りずれが生じた場合に、内側の個別折込み片部の上端が外側の個別折込み片部の上端から突出してしまうおそれがある。例えば、図６の例において、個別折込み片部１２２、１３２の上端は傾斜して形成され、これに伴い、内側の個別折込み片部の上端と側面部の上端との幅Ｈが大きくなり、仮に、内側の個別折込み片部１２４、１３４の上端位置を高くしてしまうと、外側の個別折込み片部１２２、１３２の接着領域が確保できず、また、貼りずれが生じた場合に、内側の個別折込み片部１２４、１３４の上端が外側の個別折込み片部１２２、１３２の上端から突出してしまうおそれがある。
【００１０】
そこで、本考案は、容器の強度を弱くすることなく容器の開状態を保つことができ、内側の個別折込み片部の上端を側面部の上端近くに形成することにより食品、特に、液体がこぼれるおそれが小さく、さらに、個別折込み片部の貼りずれを防止することができ、また、内側の個別折込み片部の上端を側面部の上端近くに形成しても、内側の個別折込み片部が外側の個別折込み片部の上端から突出するおそれがない紙製容器を提供することを目的とするものである。
【課題を解決するための手段】
【００１１】
本考案は上記問題点を解決するために創作されたものであって、第１には、紙製容器であって、該紙製容器が１枚のブランクにより形成され、底面部と、該底面部の各辺から折れ線を介して立ち上がる複数の側面部と、側面部の上端から折れ線を介して連設された蓋フラップと、側面部の隣り合う側縁部間に連設された折込み片部で、底面部の角部から伸びる折れ線を介して一対の個別折込み片部に区画された折込み片部と、折込み片部を構成する一対の個別折込み片部の一方の個別折込み片部の上端から折れ線を介して連設された接続片部と、を有し、折込み片部を折れ線を介して折曲して個別折込み片部同士を重ねた状態とし、一対の個別折込み片部において接続片部が連設された個別折込み片部が他の個別折込み片部よりも外側となり、個別折込み片部と接続片部間の折れ線が、接続片部が接着された蓋フラップと側面部間の折れ線に沿うように、接続片部を蓋フラップの外側の面に接着させることにより、折込み片部を側面部の外側の面に沿って設けたことを特徴とする。
【００１２】
この第１の構成の紙製容器においては、底面部と側面部により囲まれた空間内に被収納物を収納して使用する。
【００１３】
この第１の構成の紙製容器においては、接続片部が蓋フラップに接着して設けられているので、蓋フラップに連設された側面部が閉じようとするのを防ぐことができ、これにより、容器の開状態を保つことができる。特に、折目線を設ける必要がないので、容器の強度が弱くなることがない。
【００１４】
また、接続片部が蓋フラップに接着して設けられているので、外側の個別折込み片部を側面部に接着する必要がなく、外側の個別折込み片部の上端に側面部との接着領域を設ける必要がないので、よって、内側の個別折込み片部を側面部の上端近くにまで設けることができる。よって、容器を傾けた場合でも、液体が内側の個別折込み片部の上端を超えるおそれを小さくでき、側面部と内側の個別折込み片部間の隙間から液体が外部に漏れてしまうおそれを小さくすることができる。
【００１５】
また、接続片部を蓋フラップに接着させる際に、接続片部を蓋フラップに接着させればよいので、折込み片部の側面部への接着位置も上下方向にずれることがなく、貼りずれを防止することができる。また、内側の個別折込み片部の上側に接続片部が設けられるので、内側の個別折込み片部の上端を側面部の上端近くに形成しても、内側の個別折込み片部が外側の個別折込み片部の上端から突出することがない。
【００１６】
また、側面部と接続片部間の折れ線を側面部と蓋フラップ間の折れ線に合わせて接着させることにより、外側の個別折込み片部を内側の個別折込み片部に密着させることができ、被収納物が外側の個別折込み片部と内側の個別折込み片部間に入り込むのを防止することができる。
【００１７】
また、第２には、紙製容器であって、該紙製容器が１枚のブランクにより形成され、方形状の底面部と、該底面部の各辺から折れ線を介して立ち上がる複数の台形状の側面部と、相対する側面部の上端から折れ線を介して連設された第１蓋フラップと、上記相対する側面部とは異なる他の相対する側面部の上端から折れ線を介して連設された第２蓋フラップで、互いに係止することにより係着可能な第２蓋フラップと、側面部の隣り合う側縁部間に連設された折込み片部で、底面部の角部から伸びる折れ線を介して一対の個別折込み片部に区画された折込み片部と、折込み片部を構成する一対の個別折込み片部の一方の個別折込み片部の上端から折れ線を介して連設された接続片部と、を有し、折込み片部を折れ線を介して折曲して個別折込み片部同士を重ねた状態とし、一対の個別折込み片部において接続片部が連設された個別折込み片部が他の個別折込み片部よりも外側となり、個別折込み片部と接続片部間の折れ線が、接続片部が接着された第１蓋フラップと側面部間の折れ線に沿うように、接続片部を第１蓋フラップの外側の面に接着させることにより、折込み片部を側面部の外側の面に沿って設けたことを特徴とする。
【００１８】
この第２の構成の紙製容器においては、底面部と側面部により囲まれた空間内に被収納物を収納して使用する。すなわち、被収納物を収納した状態では、第１蓋フラップを閉状態とした上で第１蓋フラップを覆うように第２蓋フラップを閉状態として係着させることにより、紙製容器を閉状態とし、一方、被収納物を取り出す場合には、第２蓋フラップの係着を解除して一対の第２蓋フラップを回動させて開状態とし、さらに、一対の第１蓋フラップを回動させて開状態とすることにより、紙製容器を開状態とする。
【００１９】
この第２の構成の紙製容器においては、接続片部が第１蓋フラップに接着して設けられているので、第１蓋フラップに連設された側面部が閉じようとするのを防ぐことができ、これにより、容器の開状態を保つことができる。特に、折目線を設ける必要がないので、容器の強度が弱くなることがない。
【００２０】
また、接続片部が第１蓋フラップに接着して設けられているので、外側の個別折込み片部を側面部に接着する必要がなく、外側の個別折込み片部の上端に側面部との接着領域を設ける必要がないので、よって、内側の個別折込み片部を側面部の上端近くにまで設けることができる。よって、容器を傾けた場合でも、液体が内側の個別折込み片部の上端を超えるおそれを小さくでき、側面部と内側の個別折込み片部間の隙間から液体が外部に漏れてしまうおそれを小さくすることができる。
【００２１】
また、接続片部を第１蓋フラップに接着させる際に、接続片部を第１蓋フラップに接着させればよいので、折込み片部の側面部への接着位置も上下方向にずれることがなく、貼りずれを防止することができる。また、内側の個別折込み片部の上側に接続片部が設けられるので、内側の個別折込み片部の上端を側面部の上端近くに形成しても、内側の個別折込み片部が外側の個別折込み片部の上端から突出することがない。
【００２２】
また、側面部と接続片部間の折れ線を側面部と第１蓋フラップ間の折れ線に合わせて接着させることにより、外側の個別折込み片部を内側の個別折込み片部に密着させることができ、被収納物が外側の個別折込み片部と内側の個別折込み片部間に入り込むのを防止することができる。
【００２３】
また、第３には、上記第１又は第２の構成において、一対の個別折込み片部において内側となる上記他の個別折込み片部が、側面部に接着されていることを特徴とする。よって、側面部と内側の個別折込み片部間の隙間から液体が外部に漏れてしまうおそれを小さくすることができる。
【００２４】
また、第４には、上記第１から第３までのいずれかの構成において、一対の個別折込み片部において内側となる上記他の個別折込み片部の上端が、個別折込み片部が連設されている側面部の上端近くに形成されていることを特徴とする。よって、容器を傾けた場合でも、液体が内側の個別折込み片部の上端を超えるおそれを小さくでき、側面部と内側の個別折込み片部間の隙間から液体が外部に漏れてしまうおそれを小さくすることができる。
【考案の効果】
【００２５】
本考案に基づく紙製容器によれば、接続片部が蓋フラップに接着して設けられているので、蓋フラップに連設された側面部が閉じようとするのを防ぐことができ、これにより、容器の開状態を保つことができる。特に、折目線を設ける必要がないので、容器の強度が弱くなることがない。
【００２６】
また、接続片部が蓋フラップに接着して設けられているので、外側の個別折込み片部を側面部に接着する必要がなく、外側の個別折込み片部の上端に側面部との接着領域を設ける必要がないので、よって、内側の個別折込み片部を側面部の上端近くにまで設けることができる。よって、容器を傾けた場合でも、液体が内側の個別折込み片部の上端を超えるおそれを小さくでき、よって、側面部と内側の個別折込み片部間の隙間から液体が外部に漏れてしまうおそれを小さくすることができる。
【００２７】
また、接続片部を蓋フラップに接着させる際に、接続片部を蓋フラップに接着させればよいので、折込み片部の側面部への接着位置も上下方向にずれることがなく、貼りずれを防止することができる。また、内側の個別折込み片部の上側に接続片部が設けられるので、内側の個別折込み片部の上端を側面部の上端近くに形成しても、内側の個別折込み片部が外側の個別折込み片部の上端から突出することがない。
【００２８】
また、側面部と接続片部間の折れ線を側面部と蓋フラップ間の折れ線に合わせて接着させることにより、外側の個別折込み片部を内側の個別折込み片部に密着させることができ、被収納物が外側の個別折込み片部と内側の個別折込み片部間に入り込むのを防止することができる。
【考案を実施するための最良の形態】
【００２９】
本考案においては、容器の強度を弱くすることがなく容器の保形性を保つことができ、、内側の個別折込み片部の上端を側面部の上端近くに形成することにより食品、特に、液体がこぼれるおそれがなく、さらに、内側の個別折込み片部の上端を側面部の上端近くに形成しても、貼りずれが生じた場合に、内側の個別折込み片部が外側の個別折込み片部の上端から突出するおそれのない紙製容器を提供するという目的を以下のようにして実現した。
【００３０】
本考案に基づく紙製容器５は、図１〜図５に示すように構成され、１枚のシート状部材（具体的には、シート状の紙材）により形成されたブランク（図５参照）の要所を折り曲げ、組み立てることにより形成されたものであり、底面部１０と、側面部１２と、側面部１４と、側面部１６と、側面部１８と、折込み片部２０と、接続片部２６と、折込み片部３０と、接続片部３６と、折込み片部４０と、接続片部４６と、折込み片部５０と、接続片部５６と、蓋フラップ６０（第１蓋フラップ）と、蓋フラップ６２（第２蓋フラップ）と、蓋フラップ６４（第１蓋フラップ）と、蓋フラップ６６（第２蓋フラップ）とを有している。
【００３１】
また、折込み片部２０、３０、４０、５０は、隣接する側面部の隣り合う側縁部間に連設されていて、底面部１０の角部から伸びる折れ線を介して一対の個別折込み片部に区画されている。すなわち、折込み片部２０は、個別折込み片部２２と、個別折込み片部２４とを有し、折込み片部３０は、個別折込み片部３２と、個別折込み片部３４とを有し、折込み片部４０は、個別折込み片部４２と、個別折込み片部４４とを有し、折込み片部５０は、個別折込み片部５２と、個別折込み片部５４とを有している。
【００３２】
なお、図５において、一点鎖線は、山折り線を示し、二点鎖線は、谷折り線を示し、実線は、外形線又は切込みを示している。
【００３３】
ここで、底面部１０は、長方形状の板状を呈している。また、側面部１２〜１８は、底面部１０の各辺から折れ線を介して立ち上がるように構成されている。すなわち、側面部１２は、底面部１０の正面側の辺部から折れ線を介して連設され、側面部１４は、底面部１０の左側面側の辺部から折れ線を介して連設され、側面部１６は、底面部１０の背面側の辺部から折れ線を介して連設され、側面部１８は、底面部１０の右側面側の辺部から折れ線を介して連設されている。側面部１２と側面部１４と側面部１６と側面部１８とは、ともに台形形状の板状を呈し、側面部１２と側面部１６は、同大同形状に形成され、側面部１４と側面部１８は、同大同形状に形成されている。
【００３４】
また、折込み片部２０は、側面部１２と側面部１４との間に設けられ、全体には、略扇状の上端に略三角形状の切欠きＫ１を形成した形状となっている。個別折込み片部２２は、側面部１４の側端から折れ線を介して連設され、略扇状を呈している。また、個別折込み片部２４は、側面部１２の側端から折れ線を介して連設され、略扇状を呈している。個別折込み片部２２と個別折込み片部２４とは、底面部１０の角部と切欠きＫ１の角部との間に設けられた折れ線Ｓ１を介して連設されている。個別折込み片部２２は、側面部１４の上端にまで伸びているが、個別折込み片部２４は、側面部１２の上端近くにまで形成されていて、側面部１２の上端の一部（具体的には、幅Ｈ１）を余して形成されている。紙製容器５の組立て状態においては、折込み片部２０が折れ線Ｓ１を介して折曲されて個別折込み片部２２と個別折込み片部２４とが互いに重ねた状態となり、個別折込み片部２２が個別折込み片部２４の外側となっていて、個別折込み片部２４は、側面部１２の外側の面に接着されている（図４参照）。これにより、折込み片部２０が側面部１２の外側の面に沿って設けられている。
【００３５】
また、接続片部２６は、個別折込み片部２２の上端から折れ線を介して連設され、略方形状を呈している。なお、接続片部２６の基端から先端までの長さＮ１は、蓋フラップ６０からはみ出さないように、蓋フラップ６０の基端から先端までの長さＭ１以下の長さとなっている。紙製容器５の組立て状態においては、接続片部２６は、蓋フラップ６０の外側の面に接着されている。その際、個別折込み片部２２と接続片部２６間の折れ線Ｓ１１が、側面部１２と蓋フラップ６０間の折れ線に沿うように、接続片部２６が蓋フラップ６０に接着されている。
【００３６】
また、折込み片部３０は、側面部１２と側面部１８との間に設けられ、全体には、略扇状の上端に略三角形状の切欠きＫ２を形成した形状となっている。個別折込み片部３２は、側面部１８の側端から折れ線を介して連設され、略扇状を呈している。また、個別折込み片部３４は、側面部１２の側端から折れ線を介して連設され、略扇状を呈している。個別折込み片部３２と個別折込み片部３４とは、底面部１０の角部と切欠きＫ２の角部との間に設けられた折れ線Ｓ２を介して連設されている。個別折込み片部３２は、側面部１８の上端にまで伸びているが、個別折込み片部３４は、側面部１２の上端近くにまで形成されていて、側面部１２の上端の一部（具体的には、幅Ｈ２）を余して形成されている。紙製容器５の組立て状態においては、折込み片部３０が折れ線Ｓ２を介して折曲されて個別折込み片部３２と個別折込み片部３４とが互いに重ねた状態となり、個別折込み片部３２が個別折込み片部３４の外側となっていて、個別折込み片部３４は、側面部１２の外側の面に接着されている（図４参照）。これにより、折込み片部３０が側面部１２の外側の面に沿って設けられている。
【００３７】
また、接続片部３６は、個別折込み片部３２の上端から折れ線を介して連設され、略方形状を呈している。なお、接続片部３６の基端から先端までの長さＮ２は、蓋フラップ６０からはみ出さないように、蓋フラップ６０の基端から先端までの長さＭ１以下の長さとなっている。紙製容器５の組立て状態においては、接続片部３６は、蓋フラップ６０の外側の面に接着されている。その際、個別折込み片部３２と接続片部３６間の折れ線Ｓ１２が、側面部１２と蓋フラップ６０間の折れ線に沿うように、接続片部３６が蓋フラップ６０に接着されている。
【００３８】
なお、折込み片部３０及び接続片部３６は、図５に示す展開状態においては、個別折込み片部２０及び接続片部２６と線対称に形成されている。つまり、折込み片部３０及び接続片部３６は、Ｙ１−Ｙ２方向の中心線を介して個別折込み片部２０及び接続片部２６と線対称に形成されている。
【００３９】
また、折込み片部４０は、側面部１４と側面部１６との間に設けられ、全体には、略扇状の上端に略三角形状の切欠きＫ３を形成した形状となっている。個別折込み片部４２は、側面部１４の側端から折れ線を介して連設され、略扇状を呈している。また、個別折込み片部４４は、側面部１６の側端から折れ線を介して連設され、略扇状を呈している。個別折込み片部４２と個別折込み片部４４とは、底面部１０の角部と切欠きＫ３の角部との間に設けられた折れ線Ｓ３を介して連設されている。個別折込み片部４２は、側面部１４の上端にまで伸びているが、個別折込み片部４４は、側面部１６の上端近くにまで形成されていて、側面部１６の上端の一部（具体的には、幅Ｈ３）を余して形成されている。紙製容器５の組立て状態においては、折込み片部４０が折れ線Ｓ３を介して折曲されて個別折込み片部４２と個別折込み片部４４とが互いに重ねた状態となり、個別折込み片部４２が個別折込み片部４４の外側となっていて、個別折込み片部４４は、側面部１６の外側の面に接着されている。これにより、折込み片部４０が側面部１６の外側の面に沿って設けられている。
【００４０】
また、接続片部４６は、個別折込み片部４２の上端から折れ線を介して連設され、略方形状を呈している。なお、接続片部４６の基端から先端までの長さＮ３は、蓋フラップ６４からはみ出さないように、蓋フラップ６４の基端から先端までの長さＭ２以下の長さとなっている。紙製容器５の組立て状態においては、接続片部４６は、蓋フラップ６４の外側の面に接着されている。その際、個別折込み片部４２と接続片部４６間の折れ線Ｓ１３が、側面部１６と蓋フラップ６４間の折れ線に沿うように、接続片部４６が蓋フラップ６４に接着されている。
【００４１】
なお、折込み片部４０及び接続片部４６は、図５に示す展開状態においては、個別折込み片部２０及び接続片部２６と線対称に形成されている。つまり、折込み片部４０及び接続片部４６は、Ｘ１−Ｘ２方向の中心線を介して個別折込み片部２０及び接続片部２６と線対称に形成されている。
【００４２】
また、折込み片部５０は、側面部１６と側面部１８との間に設けられ、全体には、略扇状の上端に略三角形状の切欠きＫ４を形成した形状となっている。個別折込み片部５２は、側面部１８の側端から折れ線を介して連設され、略扇状を呈している。また、個別折込み片部５４は、側面部１６の側端から折れ線を介して連設され、略扇状を呈している。個別折込み片部５２と個別折込み片部５４とは、底面部１０の角部と切欠きＫ４の角部との間に設けられた折れ線Ｓ４を介して連設されている。個別折込み片部５２は、側面部１８の上端にまで伸びているが、個別折込み片部５４は、側面部１６の上端近くにまで形成されていて、側面部１６の上端の一部（具体的には、幅Ｈ４）を余して形成されている。紙製容器５の組立て状態においては、折込み片部５０が折れ線Ｓ４を介して折曲されて個別折込み片部５２と個別折込み片部５４とが互いに重ねた状態となり、個別折込み片部５２が個別折込み片部５４の外側となっていて、個別折込み片部５４は、側面部１６の外側の面に接着されている。これにより、折込み片部５０が側面部１６の外側の面に沿って設けられている。
【００４３】
また、接続片部５６は、個別折込み片部５２の上端から折れ線を介して連設され、略方形状を呈している。なお、接続片部５６の基端から先端までの長さＮ４は、蓋フラップ６４からはみ出さないように、蓋フラップ６４の基端から先端までの長さＭ２以下の長さとなっている。紙製容器５の組立て状態においては、接続片部５６は、蓋フラップ６４の外側の面に接着されている。その際、個別折込み片部５２と接続片部５６間の折れ線Ｓ１４が、側面部１６と蓋フラップ６４間の折れ線に沿うように、接続片部５６が蓋フラップ６４に接着されている。
【００４４】
なお、折込み片部５０及び接続片部５６は、図５に示す展開状態においては、個別折込み片部３０及び接続片部３６と線対称に形成されている。つまり、折込み片部５０及び接続片部５６は、Ｘ１−Ｘ２方向の中心線を介して個別折込み片部３０及び接続片部３６と線対称に形成されている。
【００４５】
なお、上記の折込み片部２０〜５０と接続片部２６〜５６は、上記のように構成されているので、図５に示す展開状態においては、折込み片部５０及び接続片部５６は、折込み片部２０及び接続片部２６と同大同形状に形成され、折込み片部４０及び接続片部４６は、折込み片部３０及び接続片部３６と同大同形状に形成されているといえる。
【００４６】
また、蓋フラップ６０は、側面部１２の上端から折れ線を介して連設され、略長方形状を呈している。蓋フラップ６４も蓋フラップ６０と同様に構成され、側面部１６の上端から折れ線を介して連設され、略長方形状を呈している。蓋フラップ６０と蓋フラップ６４とは、同大同形状に形成されている。
【００４７】
また、蓋フラップ６２は、略長方形状の先端に略台形状の切欠部を設けた形状を呈している。蓋フラップ６６も蓋フラップ６２と同様に構成され、側面部１８の上端から折れ線を介して連設され、略長方形状の先端に略台形状の切欠部を設けた形状を呈している。蓋フラップ６２と蓋フラップ６６とは、同大同形状に形成され、切欠部同士を係合させることにより、蓋フラップ６２と蓋フラップ６６とが係着されるようになっている。
【００４８】
なお、上記構成の紙製容器５を構成するブランクは紙材であり、具体的には、両面段ボール材により構成されている。つまり、紙製容器５は、１枚の両面段ボール材（シート状部材）により形成されたブランク（図５参照）の要所を折り曲げ、組み立てることにより形成されたものである。
【００４９】
上記構成の紙製容器５の製造方法について説明する。まず、紙材（具体的には、段ボール材）を用いて、図５に示す展開状態のブランクを形成する。つまり、図５に示す外形を有し、折れ線部分に罫線が形成されたブランクを形成する。
【００５０】
その後、内側となる個別折込み片部（すなわち、個別折込み片部２４、３４、４４、５４）の表側の面に接着材を塗布するとともに、接続片部２６、３６、４６、５６の裏側の面に接着材を塗布する。
【００５１】
その後、展開状態のブランクを折れ線に沿って折り曲げて、内側となる個別折込み片部を側面部に接着させるとともに、接続片部を蓋フラップに接着させる。つまり、個別折込み片部２４、３４を側面部１２の外側の面に接着させるとともに、接続片部２６、３６を蓋フラップ６０の外側の面に接着させ、また、個別折込み片部４４、５４を側面部１６の外側の面に接着させるとともに、接続片部４６、５６を蓋フラップ６４の外側の面に接着させる。以上のようにして、紙製容器５が形成される。
【００５２】
なお、各折込み片部において、外側の個別折込み片部（２２、３２、４２、５２）と内側の個別折込み片部（２４、３４、４４、５４）間は接着されていない。例えば、個別折込み片部２２（外側の個別折込み片部）と個別折込み片部２４（内側の個別折込み片部）間は接着されておらず、個別折込み片部２２と個別折込み片部２４の間には接着材は塗布されていない。これは、外側の個別折込み片部と内側の個別折込み片部間の空間は、容器の収納空間と連通しているため、容器内部に収納された食品に高温の液体が含まれている場合に、該液体と接着材とが接触して、接着材が液体に溶けてしまう可能性を防止するためである。
【００５３】
上記の構成の紙製容器５の使用状態としては、容器内に被収納物を収納して使用するが、主として、食品を収納して使用する。食品を収納しておく状態では、蓋フラップ６０と蓋フラップ６４とを閉じた状態で、蓋フラップ６２と蓋フラップ６６とを係着させて、容器を閉状態とする。
【００５４】
一方、食品を食べる際など容器を開状態とする場合には、蓋フラップ６２と蓋フラップ６６の係着を解除して蓋フラップ６２と蓋フラップ６６を外側に回動させるとともに、蓋フラップ６０と蓋フラップ６４も外側に回動させて図２に示す状態とし、蓋フラップ６０〜６６をさらに回動させて図３に示す状態として、容器を開状態とする。
【００５５】
上記構成の紙製容器５によれば、接続片部２６、３６、４６、５６が蓋フラップに接着して設けられているので、蓋フラップに連設された側面部１２、１６が閉じようとするのを防ぐことができ、これにより、容器の開状態を保つことができる。特に、特許文献１のような折目線を設ける必要がないので、容器の強度が弱くなることがない。
【００５６】
特に、接続片部２６、３６、４６、５６は、蓋フラップに接着されていることから、接続片部２６、３６、４６、５６の接着領域を大きく確保することができ、接着片部と蓋フラップとの接着が外れるおそれを小さくでき、これによっても、容器の開状態を保つことができる。
【００５７】
また、接続片部２６、３６、４６、５６が蓋フラップに接着して設けられているので、外側の個別折込み片部２２、３２、４２、５２を側面部に接着する必要がなく、外側の個別折込み片部の上端に側面部との接着領域を設ける必要がないので、よって、内側の個別折込み片部を側面部の上端近くにまで設けることができる。つまり、図５における幅Ｈ１、Ｈ２、Ｈ３、Ｈ４を小さくすることができる。よって、容器を傾けた場合でも、液体が内側の個別折込み片部の上端を超えるおそれを小さくでき、さらには、内側の個別折込み片部は側面部に接着されているので、よって、側面部と内側の個別折込み片部間の隙間から液体が外部に漏れてしまうおそれを小さくすることができる。なお、内側となる各折込み片部における一部の領域を側面部に接着させてもよいが、内側となる各折込み片部における側面部との接着領域が大きくなるほど該隙間から液体が漏れるおそれがより小さくなるので、内側となる各折込み片部の全ての領域を側面部に接着させるのが好ましい。なお、内側となる各折込み片部の上端領域を接着させる（すなわち、上端領域の一方の側端から他方の側端まで接着させる）等して該隙間から外部に液体が漏れない程度に一部の領域を接着させるようにしてもよい。
【００５８】
また、上記構成の紙製容器５においては、接続片部を蓋フラップに接着させればよく、特に、側面部と接続片部間の折れ線を側面部と蓋フラップ間の折れ線に合わせて接着させればよいので、折込み片部の側面部への接着位置も上下方向にずれる貼りずれを防止することができる。また、内側の個別折込み片部の上側に接続片部が設けられるので、内側の個別折込み片部の上端を側面部の上端近くに形成しても、内側の個別折込み片部が外側の個別折込み片部の上端から突出することがない。
【００５９】
また、側面部と接続片部間の折れ線を側面部と蓋フラップ間の折れ線に合わせて接着させることにより、外側の個別折込み片部を内側の個別折込み片部に密着させることができ、被収納物が外側の個別折込み片部と内側の個別折込み片部間に入り込むのを防止することができる。
【００６０】
また、紙製容器５は、両面段ボールにより形成されているので、保温機能を得ることができ、紙製容器５内の食品の保温を行なうことができる。
【００６１】
なお、上記の説明においては、内側の個別折込み片部２４、３４、４４、５４は、側面部の上端近くにまで形成されているとしたが、外側の個別折込み片部２２、３２、４２、５２と同様に、側面部の上端にまで形成されているものとしてもよい。
【００６２】
また、接続片部２６、３６、４６、５６は、略方形状であるとしたが、他の形状でもよい。
【００６３】
また、上記の説明では、紙製容器５においては、底面部が方形状を呈し、４つの側面部が底面部の各辺から立設しているものとして説明したが、底面部がｎ角形（ｎは３以上で４以外の整数）で、底面部の各辺から側面部が立設したものとしてもよい。その場合にも、側面部の隣り合う側縁部間に折込み片部が連設され、底面部の角部から伸びる折れ線を介して一対の個別折込み片部に区画され、一対の個別折込み片部における一方の個別折込み片部の上端から折れ線を介して接続片部が設けられ、折込み片部を折れ線を介して折曲して個別折込み片部同士を重ねた状態とし、一対の個別折込み片部において接続片部が連設された個別折込み片部が他の個別折込み片部よりも外側となり、個別折込み片部と接続片部間の折れ線が、接続片部が接着された蓋フラップと側面部間の折れ線に沿うように、接続片部を蓋フラップの外側の面に接着させることにより、折込み片部を側面部の外側の面に沿って設けた構成とする。
【図面の簡単な説明】
【００６４】
【図１】本考案の実施例に基づく紙製容器を示す斜視図である。
【図２】紙製容器を開状態にする途中の状態を示す斜視図である。
【図３】紙製容器を開状態にした状態を示す斜視図である。
【図４】図１のＡ−Ａ線における要部断面図である。
【図５】紙製容器の構成を示す展開図である。
【図６】従来の紙製容器を示す斜視図である。
【図７】従来の紙製容器の展開図である。
【符号の説明】
【００６５】
５、１０５  紙製容器
１０  底面部
１２、１４、１６、１８、１１２、１１４、１１６、１１８  側面部
２０、３０、４０、５０  折込み片部
２２、２４、３２、３４、４２、４４、５２、５４  個別折込み片部
２６、３６、４６、５６  接続部
６０、６２、６４、６６  蓋フラップ
【図１】
0003131823.tif 000003
【図２】
0003131823.tif 000004
【図３】
0003131823.tif 000005
【図４】
0003131823.tif 000006
【図５】
0003131823.tif 000007
【図６】
0003131823.tif 000008
【図７】
0003131823.tif 000009